(57)【要約】【課題】  ＣＯ２及び多発事故原発対策に代わる地球上自然エネルギー利用のフル活用発電方式が急がれる国々に於いて使える発電装置を提供する。【解決手段】  水流と風雨及び太陽を複合的にしエネルギーを全部１つの装置にまとめる。【選択図】  図１
2007054676.tif 000002
【特許請求の範囲】
【請求項１】
水の直進方向に磁気ループを形成する強力な管、板、スポンジ板及び粒状永久磁石を水路の中に多数設け、高流速に耐えるピッチスプリングで定寸づつ管内に固定した管、そしてその管容器内に酸化チタン、トルマリン鉱石、トリウム鉱石、黒鉛、活性炭、銀、防カビ剤、ゲルマニウム鉱石、天然ホルモン及び銅＋α等を配合したビーズを用途により適性％配合した。別に、これの投入量を水路に封入した浄水装置。ビーズ材質はゴム、紙、樹脂の中間に上記剤を埋め込ませ、ビーズ寸法はφ０．８〜φ１０、球形に近いものを空間を保ち、圧力変化効果（プランクトン等の除去）を利用したものを含み長寸法光触媒用ぐるぐる巻きチューブ外周浄水装置。装置の天井には容易開閉用ふたを付け、中のフィルターには木綿フィルターの外周に耐久性延長の消臭エフニカ処理済のカートリッジをかぶせた。更に透明鉢巻式外周チューブ内のビーズは光の双方入れ。（図１）図１中の  Ａ＝永久磁石  Ｂ＝チタン、トルマリンビーズ  Ｃ＝ホルモン、銀ビーズ  Ｄ＝黒鉛、炭ビーズ  Ｅ＝銅、チタンビーズ  Ｆ＝ゼオライト粒
【請求項２】
太陽光熱利用の浄水製天井のガラス板の上に集熱レンズを設け、紫外線及び光熱を多吸収しながらタンク付きの浄水装置で中に封入する磁石及びビーズを請求項１と同じとしたもので入口、出口の透明管内には、磁石の中間に異種ビーズを入れた。（図２）スポンジ状の波型皿上のビーズの中を（図６）更に水はくぐり抜ける。図２の中に入れて製塩できるマットは着脱可能でフィルター状の中に、取れない小ビーズが満ち入れてあり、塩除去後多回できる構成とした昔の製塩。Ｈ＝シリコンスポンジに酸化チタン他＋αを封入  Ｇ＝チタン、フェライト＋α入りビーズ。
【請求項３】
良水不足の地方へ出張者、旅行者、移動者、登山者等が命を救う携帯用造水器で、内容は請求項１のビーズを内蔵し、現地で水を入れ飲用するボトル浄水装置。（図３）ボトルは透明樹脂で裏には金ぴかアルミ箔を接合。
【請求項４】
上下の分配板の中の多数管内１本づつの中に、請求項１と同じ磁石とビーズを入れ、順次１本づつの管内を水がくぐり抜ける浄水装置。
【請求項５】
浄水と発電を同時にし、浄温水装置とタービン、発電を組み合わせたもの。供給する防温タンクと接するクロードサイクル式流体Ａはガリウム７０％、インジウム２５％。錫５％の液とフッ素、油に銅、黒鉛、炭、銀等の極小ボールを合計５０％の混入品を特徴とする浄水兼発電装置。  浄水管は透明で中には請求項１の磁石ビーズが満タン詰めてある。図５の中のＸ＝ガリウム  Ｙ＝インジウム  Ｚ＝錫。  Ｕ＝亜鉛
【請求項６】
浄水と風雨力発電をスペース的に組合せ省スペースを計ったもの。及び、すでに設置済の電柱、信号灯柱、その他多くのタワー等の上を利用し取付ける事のできる風雨雪力発電装置。  請求項１の磁石、光触媒粉、及びビーズ等を長寸法の中にスパイラーと共に多く入れ、下から中パイプ内を上昇。上で外パイプ内を降下し、水をくぐらせることにより大幅な改質道長１０ｍ以上の確保可能な耐久性向上の水改質装置の更にシャボン玉に似た複数（１〜１０個）羽根車の羽の表面に、ソーラパネル張付け等も含め、羽の表面処理は無機質塗料のローラー塗装も実施し、海陸共に付着のつかない理想の薄板３次元絞り式羽を持つ２〜８枚の球形３次元プロペラ羽を固定し、軸と共に回り１〜３ｋｗの発電を兼ね、羽根車１ヶの出力は２５％ｕｐとなる。高発電効率のため軸受の擢動抵抗を減少した。すなわち最下部にはピン磁気ペースト入り、スラスト軸受を！！上部中間軸受には２〜３ヶの磁性シリコン油ペースと付の精密合金銅を設け、回りトルク低下をした。プロペラ羽根は図８の通り３次元曲線で曲げたため、数枚にかかる降下物（雨、雪等）でも回転する。さらに積雪中に於ても回転を助ける羽表面に発水性コーテングをし、回転エネルギーをポンプ、発電機等に直結可能とした。  この風雨雪力発電装置は、下部に浄水装置不要の際は、単独で設置発電が可能。すなわち、既存の電柱（電車脇、道路、鉄塔）、信号灯柱の上に継ぎ足し式で設け、風当たりの強い台風防風海岸付近、及び農業ハウスの上等有効である。また、走行可の船舶等発電の必要箇所に有効となった。
【請求項７】
水力発電用水の改質を請求項１により計り、水力発電羽根車の羽への荷重を３％ｕｐし、水車全体の構造を変え、前と同じ水量で従来の２、３倍の出力を得る水力発電装置。  水管から落下してくる水を２ヶの水車の中心に設け、夫々反対に回る水車の外側に水と同じ方向に回るカバーを置き、中の水圧を水車回転力と共に１〜２回転分保持し、その後排水管に出す。軸の端部は発電機と直結し高出力の電気を得る発電装置。
【請求項８】
薄板（０．１〜３．０）のジュラルミンを３次に絞ったプロペラを持つシャボン玉近似の羽根車は、軸の高強度によ多段数設け、多発電力を生むことの可能な、強力発電機（１〜３ｋｗ）及びバッテリー（１２Ｖ、１００Ｖ）を設ける。又、羽根車を回すエネルギー源に、風、引力、雨、雪、台風、地震、津波、波、潮の流れ、磁気等を利用し、回転力を電気に変えるもの。  又、昔の電気自転車とは、全く異る風力電気自転車を発明した。鉄道沿線、高速道路、雪道の照明電源は、個々の発電装置でまかなうことができ、電線は発電々力会社に売電力電線とすることができた、シャボン型綜合発電装置。
【発明の詳細な説明】
【発明の詳細な説明】
【産業上の利用分野】
【０００１】  健康、美容、工業、農業、水産、海洋及び建築産業等、幅広い産業に関する他、電力産業に関する。
【背景技術】
【０００２】  この発明は太陽活用で水の改質と電気に関する。深い地層に閉じこめられ山奥の岩間から湧き出る大自然の浄化作用岩清水よりも優れた水を磁力、無光触媒、光触媒技術を駆使し綜合技術力で楽しく造水改質装置であり、且つ発電にも応用したものである。
【発明が解決しようとする題】
【０００３】  従来から、所謂浄水器と称されるものは磁気のみのもの、光触媒のみのもの、活性炭のみ、電気のみ及び紫外線のみ利用のものなど多くあって限られた目的にのみは多方面に使われてきた。本発明は複数の良要素を綜合的に駆使できる装置にすることで、オールマイティの浄水装置にすることを目的とし、次の手段を取った。  １）飲料水は、水道水は原水そのものが酸化状態にあり、他の物質を酸化させやすい状態になっている。この水道水を飲み続けることは血液や臓器に負担をかける。塩素、トリハロメタン、Ｏ１５７、サルモネ、黄色ブドウ球菌が除かれ、農薬、６価クロム、ヒ素、鉛、カドミウム・水銀等がなく、酸化還元電位を２００ｍＶ以下にし、負イオンも若干あるものが身体の細胞に生きた水といえるのであるが、以上のものを除ける光及び無光触媒技術でビーズを作り装置内に入れ、水道水流、水圧を変えることなく改質する。  ２）身体内の洗浄及び身体外の清潔、物体の洗浄等には洗剤の量を減らしても水のみで充分きれいになる。水、すなわち高洗浄力の水を作り、すすぎ水の減量化で水を大切に使う手段として、磁気力＋負イオンの使用が必要となるため、活性磁石、イオン交換樹脂に変わるイオンビーズ、更に活性炭ビーズ等を水路に直接触で設け、クラスターの大きさを水道の１／６とした。又、イオンビーズの負イオン値を２０００以上にした。  地球汚染の進行により、水９０％以上を含む酒類、すなわちビール、ワイン、又、化粧水、シャンプー、ローション類には水道水、井戸水そのままでは不可のため、改質水又は深層水等の使用が必要となるが自社独自のものを持つ必要が生まれてきた。食品業界の味付け方に似ているが、これには超軟水にて対処した。ただし、統一的思考は不可である。又、癌を含む医療用水は今後の課題とした。  ３）ミネラル、カルシウム、リン、鉄、マグネシウム、ナトリウム、マンガン等のうち、身体の健康に優れた機能を発揮するものを残し、原水の価値を何上し得るものを残す必要から、水路の中のビーズ間空間で分離可能装置とした。本発明は粒径差をくぐり抜ける水の抵抗技術を採用し、ビーズ材質も発明した。これは体の血液、細胞に浸透して体に活力を与え病気になりにくく、強い体質を得る役割を果たす。  ４）調理水、風呂水等の排水は工業用を含めぬめりが多く配水管詰まりを防ぐことが重要で、排水処理場の処理コストを下げ得る水にする必要から本発明の浄水装置内に入れるビーズには、防カビ、抗菌にイオン銀等を配合したもので対処した。又、レジオネラ、大腸菌、Ｏ１５７、サルモネラにも対処可とした。  又、洗剤で泡の立たない硬水は硬度が高く、軟水はｐＨ（水素イオン濃度）が６．８〜７．４である。この水にするためビーズを入れた。又、酸化還元電位を２００以下になるよう酸化チタン、イオン鉱石粉をビーズに入れた。紫外線波長の平均は３８０ｎｍ。  ５）工業用水は、冷却、加熱及び洗浄等に幅広く使う水には抗菌、消臭、防錆、防汚、防藻性が必要とされる。特にクーリングタワー等、外部から諸物の進入のあるものには、レジオネラ菌等の殺菌性もいる。ボイラーには、高熱伝導性が良く、コンクリート用水はクラスターの極限に小さいものを必要とするから、夫々工業製品の精度向上、加��コスト向上のためのビーズを発明した。  乗物の車、航空機等大量洗浄水には、高洗浄力（上記）のシャワー、風呂用と同一とし、タイプは特に図２が省エネとなる。  ６）農業用には農薬、ダイオキシン、環境ホルモンを分解し得る他、陽光水として酸化チタンを紫外線で、その他を炭、黒鉛＋αのビーズで夫々対処できた。  生育光線波長域の電磁波は生体に様々な好影響をもたらしたり、水の切断、種子中の低分子物質の重断切断、不飽和樹脂酸の２重結合防止になるので有効。また、植物の根活力増強はビーズ内に入れた天然ホルモンが大きく寄与するので生育増大（約１５％）及び産物の日持ち増になった。  農業用でもキノコ栽培用には高浸透性、水耕用には陽光型酸化チタン光触媒型ビーズ及びシート＋αとした。  ７）海洋、水産業分野では、生け洲内の増殖用水、冷凍魚解凍用水、生魚運搬用水、魚貝廃物の腐らない保存、氷の保持化、網の洗浄用水及び浄水化装置が重要課題で、夫々のビーズを発明した。  また、鮮度（果物等）保持にはエチレンガスを分解し得るビーズを入れ、腐らない水にすることが重要で、魚を含め冷凍による味の低下防止を計った。防カビ剤、銀、負イオン及び黒鉛、炭等配合をした。  ８）ビルその他、地下タンク、プール等の貯水が悪い水にならぬようタンクへの水の供給口等に本発明の浄水装置を設け、尚に良い水を保管するためには図１又は図２タイプで安心できるうえに省エネを計ることができる。  ９）人間は体の６０％が水である。故に常に各自の好みの水を家宝として用意し、お茶、コーヒー、料理、水割り水等を楽しく味わう事が若返りの秘訣であり、元気で過ごすことに対処するための浄水装置図４を適用した。  １０）浄水温と発電を兼ねるのは、陽光エネルギーで可能のため、すでに発明されているパラボラ型の集熱機の外周に浄水管（３６）を設け、流体Ａ管内には、熱伝導率の高いフッソ油の中に黒鉛及び銅の小球を入れ、ガリウム７０％、インジウム２５％、錫５％入れたものを流体として使用した。熱伝導効率が高いため、昇温性に有利となった。  １１）今迄、海洋深層水のミネラル分は淡水化の際にミネラル分が除去される故、ミネラル水として販売するとき、ミネラルを別入れしていたが、特殊な不燃布フィルターの中にイオン、チタンその他αを入れたのでミネラル入りの水と塩が収穫できた。この塩は特にキムチ等、漬物には栄養入りとして重要なものとなった。  １２）水道飲料水の悪い地方の人々は、ボトルに水を購入して使っている。生活費の向上のため浄水装置を多く提供する必要がある。そして、人々が楽しく生きていくことが重要。  １３）発電は、原発の代替えを早く発明し、提供する必要となった。
【課題を解決するための手段】
【０００４】  水のくぐり抜けやすい磁石、そして夫々の特徴を持つビーズの発明により、オールマイティの浄水装置を６種発明した。  今迄の２〜３種以下の機能を持つ浄水法に比し複雑になったが、耐久性を向上し発電も付加した。そして流体に特徴を持つものとした。  また、発電につては、太陽を含め、地球のエネルギーの内、風、雨、雪、引力及び波等を綜合的に利用する手段をとる。
【作用】
【０００５】  太陽光は、酸化チタン他光触媒ビーズのそれぞれに作用し、水の改質。  太陽熱は、集中レンズ他伝熱作用による蓄熱、温水利用と発電。  太陽光中の紫外線は、上記に含め。  磁気は水中のクラスター分球の作用。他。  無光触媒ビーズは、イオン化反応。  風、雨、雪、波力エネルギーを回転に変え発電。
【実施例】
【０００６】  図１は、還元水兼多用途に使用の水改質装置で、水道、井戸水等に幅広く適用する。  矢印の水入口より進入する硬水等は、内蔵された永久磁石（Ａ）を通り、ＳＴＯＰ  ＶＡＬＶＥ（１）をくぐり、中心部より上昇しフィルター室パイプ（４）の下部に設けた炭を通り、プラスチック、木綿、不織布フィルター（３）の外周から中心部を上昇し、上部から無光触媒室パイプ（９）に入ると、触媒粒（Ｃ）を通り降下、次に下部より更にビーズ室パイプ（９）に移動し、上部より接手エルボから光触媒と無光触媒の混合ビーズ（Ｅ）を入れた透明ホース（６）の中を移動し、更にエルボ（７）から、磁石（Ａ）と光触媒ビーズ（Ｆ）と水流スパイラー（１５）を入れた透明パイプ（８）を降下し、出口磁石（Ａ）内を移動のうえ、出口へ移動する。  容易交換可能なＦＩＬＴＥＲ  ＣＡＰ（１４）を回すと、フランジ（１３）の中に入れたＦＩＬＴＥＲが簡単に上抜き、交換できる。又、ＦＩＬＴＥＲ詰まりを検査できる圧力ＧＡＵＧＥ（１０）は、確認でき、光触媒通路を閉めるＶＡＬＶＥ（１２）とバイパスＶＡＬＶＥ（１１）で操作する留めナット（２）。【０００７】  図２は、太陽光１００％利用の加熱可能な水改質装置で良水と温水を得る。ビル、家、平野の陽水の得やすい場所に設け、省エネタイプとした。  又、本発明器は農業用の配送水として水産用として生け洲に、更に魚介の鮮度保持用として漁協組合等に適した型である。  矢印の通り、下から進入の水は磁石（Ａ）を複数個入れたＰＩＰＥを経てガラスケース（１６）内に多くの孔から進入上昇する間に光触媒波型皿（Ｈ）及び混入させた光触媒ビーズ（Ｇ）をくぐり抜け改質した水を更に上部の磁石（Ａ）入りパイプを移動のうえ、下のタンク（１８）に入る。  タンク内にはフロートセンサー（１９）があり、中の温水が減少すると水道バルブが開となりタンク内の水補充するが、この開閉バルブには照度センサーが設けてある故、夜は働かない。曇りは働く。タンクは１週間分の水量を保有し、タンクは断熱材で囲まれ夜の降湯を防ぐ。更に、得たい温水温は外皮レンズ（１７）の交換により温度調整できるが、２００℃を限度とする。レンズを載せないガラスケース（１６）では、１００℃を限度とする。  本発明器は、磁石を含め６種の装備により改質するので、照度センサーを除去し、夜でも改質するが兼ねているソーラーの役目は果たさない。【０００８】  図３は、旅先、戦場等で欠かせない飲める安全水を自身で作り、命をつなぐ水改質携帯帯陽光装置。  透明ＰＬＡＳＴＩＣ  ＢＯＴＴＬＥ（２３）の裏には、光反射用のピカピカ金属箔（２０）を設け、中に入れた光触媒ビーズ（Ｂ、Ｃ、Ｄ、Ｆ、Ｇ）の反応で川の水等も飲める水に改質する。  下部栓（２２）を開け、逆から水を入れ栓を閉めて逆にし、陽光に向けて図３の向きで置き１時間、陽光のない時は３時間放置後、ＣＡＰ（２４）を開けて使用する。下栓の中には、ＦＩＬＴＥＲ紙（２１）があり、１回毎新品と交換する。この水は調理等にも使用できる。曇りの日でも夜でも時間をかければ中の無光触媒の働きにより改質されるので、少量の場合、家の内照明でも改質造水可能。【０００９】  図４は、工場の脱脂水洗浄、すすぎ、シャワー、洗面及び身体内洗浄用飲料水として、専用のもの及びビーズを交換して美容用等にも使える改質装置で、下の入口からの進入水は、パイプ（２７）の中を分配板（２６）（２５）が順次上下できる構造で、夫々のパイプ内に磁石（Ａ）及びビーズＢ、Ｃ、Ｄ、Ｅが入れてあり、目的別にその順序等を変更した。パイプ径も小さく小型コンパクトであり、機械の側、蛇口の側に設ける。【００１０】  図５は、陽光による改質温水造水兼蒸気温度差発電装置である。水入口から進入の原水は、円形透明プラスチック又はガラスパイプ（３６）を回り、出口チューブ（３７）内に移動するが、その間に管内の磁石（Ａ）及びＥ（光触媒ビーズ）をくぐり抜け、断熱材付きタンク（３２）に入る。陽光▲Ｓ▼の照射を受けた球状パラボラ式反射鏡板（３０）で太陽熱を集熱タワー（２８）に集め、その集熱タワーを支える３脚管（２９）の中を、注液ポンプ（３３）から送られてきた流体Ａを温水タンク内の蒸発器に移し、双方をタービン（３４）に送り、回して発電（３５）する。流体はクローズドサイクルにしたので、約２５０℃の昇温が可能。水タンクの大きさを大きくし、外壁は断熱材を使い放熱を防ぐと１日の日射（約４時間）で１週間分の温水と家庭内電気程度は常に供給できる。特に、電気のない地方には有効である。太陽のエネルギーを使い良い水と電気を得る。【００１１】  図６は、図２の陽水装置上の集熱外皮レンズ（１７）、及びガラスケース（１６）の下に入れる製塩マットである。ミネラル分を非常に多く含む海洋深層水及び一般海水から良質の塩を収穫し、且つミネラル水を造水する。すなわち、本発明のマットにより得た塩と水は、健康に必要な食品となった。熱伝達材のＸ＝ガリウム。Ｙ＝インジウム。Ｚ＝錫、Ｕ＝亜鉛を示す。  陽光集熱でマットに多熱して得た塩は、マットを除去し容器に採集する。本マットに入れた光、無光触媒剤（Ｅ）は、除去されないため再使用する。  図７は、風雨雪力発電と水改質装置。屋上、ベランダ、その他に設け自家発電した。水は、水入口から取入れ、中心パイプ（２７）の中の磁石（Ａ）及びビーズ（Ｂ、Ｃ）をくぐり抜け上昇し、無光触媒ビーズで第１次改質を完了後スパイラー（１５）入りのパイプ（８）内の光触媒ビーズ（Ｆ）をくぐり抜け、更に大きく改質され、温められ出口から出ていく。この装置は、風力球の高所空間を利用したので水のくぐり抜け長さが非常に多く  図８は、半球型の３次元曲げＳＵＳ板１．５ミリ型しぼり方式で加工し、上下端をプロペラ留めリング（３９）で固定した。上部取付けと下部は垂直でないため、吹雪等はよく発電した。留めリングは溝羽１０枚まで可能である。また、羽材を超ジュラルミンにし、羽表面の雪、塩害防止表面処理は、上記と同じとしたが、羽表面のソーラーパネル化も良い。  すなはち、光発電兼、風力発電とした。  図９は、風雨力発電装置（シャボン玉タイプ近似）。電車の走行風発生受けやすい電柱の上部に取付けたもの。上空空間が多い故、１０段とした。発電機は上部にし、電池は便利な場所に取付けた。他にも利用法として、海上の信号灯台に、更に防波堤の途中にセットしたり、農地や山の上の電力供給にも好都合となった。カラスの防御には無関係か？電気のない地区のテレビ電源を、また原発ある���の代替発電をしたい。  図１０は、従来の水力発電を見直し、出力ｕｐをするため、水路管を水車２ヶの中心に設け、同時に２ヶの水車の反対側に受けた水は螺旋カバー（４１）の中を１〜２回転後、排水管から出る。そのカバー内にある間、水車出力を増し、約従来水車の１．８倍を確保。合計約２．５倍以上の出力を出す水力発電装置。カバーは複雑形状になる水車羽の約５０％に当初受けた水は残５０％共について回り、余りを１回転後排出する。従って水車羽の構造も少し変わり、フライホイルリングは正面奥に配備しギヤー式とした。浄水器の役割は水温を上昇しないで、水中の諸物質を除去しないものとした。【００１２】  図１１は、シャボン玉式、風雨雪力発電を２段、街路電柱に金属バンド２ヶで固定、中に入れた発電機兼バッテリーにてランプに供電する例を示す。プロペラ外径は、１００φ１２ボルトバッテリーとした。【００１３】  図１２は、魚業網用ブイを浮力の高い発泡スチロールの５角形にし、外周に貝付着防止ピカピカの無機塗料を、ローラー塗りし、回転力を天井の風力、波力エネルギーを回転軸に伝達と共同で発電した。内部に超小型発電機を内蔵したので発電気はロープにつけた電線で地上の電気として使用。球型３次元プロペラは、海水に強い超ジュラルミンの上に更に上記ブイと同じ無機ペイントでピカピカにした。又軸受には磁気ベアリングを使用したので塩水でも耐久性を向上。  図１３は、風雨力を船上で、波力潮力を水表面で夫々エネルギーとしてとり、双方合体による回転力で、停止中の船でも、発電、蓄電可能となった。両側に設けた５角形のフロートブイ回転子は２ヶが波の小さいバチャバチャでも３０ＲＰＭ以上の回転が可能となり停止することがない。１２Ｖのバッテリーで常に６０Ｗ以上ができた。船のスクリユ回転のためにはさらなる努力を必要。  図１４は、津波の場合の浸水防災兼風雨力発電を示すもの。海岸に寄せる津波を受けとめる石炭発電灰入りポリプロ、アセタールの発泡強力板を平素プロペラ軸に保存し、津波前に軸筒に落とし込み６００ｍ以上の防災に使用。１〜２ｍ間隔で風力軸筒が建つので利用。電力は、１軸３段で１〜２ＫＷバッテリーにて常に充分。  図１５は、洋上発電方式を示すもので、網ロープブイを兼ね、電気を作る。波は、下部フロートの、上ブイ型プロペラに当り、回転、上部風力軸と連結され、加速され、発電機に直結する。従って、風、雨、雪、波、潮、等５個のエネルギを同時に利用する他、引力エネルギーも借り、総計６個で大量発電する。さらに海洋器具には、発泡スチロールも含め無機塗料をロール塗装し、貝、海草付着防止を実現できた。【００１４】  図１６は、電気自動車の動力源に風雨力を回転源にし、発電、バッテリーに保電し、いつでもアクセルで３０ｋｍ／時だせるものとした。ハンドルの前に約１２０φのプロペラ５枚型を設け、座席後部には４段の５枚型をつけ、尚、軽量のヂュラルミンｔ０．５、等、バッテリーも小型で軽く、後輪車輪に伝達ローターも弱力で回転する。ローターの電気はサドル下の電気箱から通電。身障者用車いすにも利用可能。
【発明の効果】
【００１５】  今迄、軍独技術による発明のものでも組合せにより効率向上が、できたから、下記その効果を記す。  太陽光エネルギーを利用した水の改質装置は多く発明されているが、綜合的な装置を開発し、量産効果によるコスト低下が計れるよう進め、目的別装置としないで中味操作で対処できるものを、楽しく使ってもらえるよう工夫して提供する。  そして、発電も同時にできるもの及び塩も取れるものまで範囲を拡大した装置を世界の人に提供したい。  特徴として次の５項とする。  １）太陽光紫外線による光触媒及び無光触媒のビーズの中味に工夫をし、１０種のビーズを発明し、目標として研究した▲１▼クラスターを原水の１／４以下、▲２▼界面活性力を７０％以上、▲３▼酸素活性力を２０％以上、▲４▼酸化還元電位２００ｍＶ以下を達成した。  ２）今迄にない特殊な形の永久磁石を水路に大多数入れ、クラスター分子の微細化を計ったから、身体内外、衣類、工業品及び道路等の洗浄まで楽になった。  ３）細チューブを多様化採用し、管接手空間利用を計りバクテリヤ、雑菌除去し、装置のコンパクト化をした。  ４）原水の性分により、フィルター交換頻度は異なるが、その他は耐久性を向上した。（５年）  ５）屋上、屋根、ベランダ、農、海、山、空地に設け、浄水、温水、電気を同時に得ることができるものにした。（１〜５ｋｗ発電目標）更に、キムチ、漬物等にどうしても必要な味のある最高級塩を得た。  ６）水は動植物の命。川、海の水を今以上に絶対に汚してはならない。原子力発電の代替発電方式の研究は各国の科学技術者の第１の仕事であるが、水を造りながら発電もできるものは省スペースで天に向かうものであるだけに良い。原発をやめ、台風国を独自の発電法及び水力の見直しを提供する。科学者達はもっと浄水装置の研究が必要。既に汚してしまった先進国（日本も含め）は、急速な挽回が必要である。そして開発途上国は決して先進国の失敗策を取り入れてはならない。  陸上と、海上に分けると、異るエネルギー集めとなる故、同じ装置では不可の分野を変更し、その効果をあげた。特に船の、風、波、潮力利用は、有効であり、船以外も津波エネルギー利用も可能となった。従って、エネルギーとして充分な次のものを全て使った。  １）台風、２）地震、３）津波、４）風、５）引力、（磁力）６）雨、７）雪、８）太陽光、９）太陽熱。
【図面の簡単な説明】
【図１】は、本発明の還元水改質装置の正面図。
【図２】は、本発明の陽光による改質水温装置兼塩作装置の側面図。
【図３】は、本発明の命を救う携帯浄水器の斜視図。
【図４】は、洗浄、医療及び美容等に関する専用浄水器の原理図（平面）。
【図５】は、本発明の陽光利用発電装置付浄温水装置。
【図６】は、本発明のミネラル残し造水装置兼製塩装置。
【図７】は、本発明の水浄造温水装置兼球型羽根型の風力等発電装置の構造断面図。
【図８】は、シャボン玉羽根車の中の３次元羽１枚の正面図。
【図９】は、本発明の風雨雪力による発電装置を新設ではない既存の鉄柱等に載せ固定した正面構成図。
【図１０】は、本発明の水により水力発電装置を改良し、出力２倍以上の装置の構想断面図。
【図１１】は、シャボン玉型羽板車を２段設けた軸を街燈に接続固定した側面図のランプ部。
【図１２】は、発泡スチロール５角形ブイに球型３次元プロペラ１段設けロープ固定の水中ブイ正面図。
【図１３】は、船の後部に風力、兼波口、発電を設置し、停船中でも発電を可能とした側面図。
【図１４】は、津波防災に風力発電筒を利用した正面図。
【図１５】は、洋上ブイに発電装置を設け、直角の２軸回転力で発電できる風、雨、雪、波、潮、磁力発電の正面図。
【図１６】は、風、雨、雪力発電プロペラを自転車に接合した電気自転車の構想図。
【符号の説明】
Ａ    永久磁石              Ｂ、Ｃ、Ｄ、Ｅ、Ｆ、Ｇ、Ｈ、  目的別ビーズ、皿Ｕ    亜鉛                  Ｘ    ガリウムＹ    インジウム            Ｚ    錫１    ストップバルブ        ２    留めナット３    不織布フィルター      ４    パイプ５    パイプ                ６    ホース７    エルボ                ８    パイプ９    パイプ                １０  圧力ゲージ１１  バイパスバルブ        １２  バルブ１３  フランジ              １４  フィルターキャップ１５  水流スパイラー        １６  ガラスケース１７  外皮レンズ            １８  容器（タンク）１９  レベルフロート        ２０  ピカピカ箔２１  フィルター            ２２  下部栓２３  プラスチックボトル    ２４  キャップ２５、２６、  分配板        ２７  パイプ２８  集熱タワー            ２９  ３脚管３０  反射鏡板              ３１  受板３２  タンク                ３３  注液ポンプ３４  タービン              ３５  発電器３６  ガラスパイプ          ３７  出チューブ３８  バッテリー            ３９  プロペラ留めリング４０  電柱、鉄柱等、        ４１  螺旋カバー
【図１】
2007054676.tif 000003
【図２】
2007054676.tif 000004
【図３】
2007054676.tif 000005
【図４】
2007054676.tif 000006
【図５】
2007054676.tif 000007
【図６】
2007054676.tif 000008
【図７】
2007054676.tif 000009
【図８】
2007054676.tif 000010
【図９】
2007054676.tif 000011
【図１０】
2007054676.tif 000012
【図１１】
2007054676.tif 000013
【図１２】
2007054676.tif 000014
【図１３】
2007054676.tif 000015
【図１４】
2007054676.tif 000016
【図１５】
2007054676.tif 000017
【図１６】
2007054676.tif 000018
【手続補正書】
【提出日】平成16年3月22日(2004.3.22)
【手続補正１】
【補正対象書類名】特許請求の範囲
【補正対象項目名】全文
【補正方法】変更
【補正の内容】
【特許請求の範囲】
【請求項１】
水の直進方向に磁気ループを形成する強力な管、板、スポンジ板及び粒状永久磁石を水路の中に多数設け、高流速に耐えるピッチスプリングで定寸づつ管内に固定した管、そしてその管容器内に酸化チタン、トルマリン鉱石、トリウム鉱石、黒鉛、活性炭、銀、防カビ剤、ゲルマニウム鉱石、天然ホルモン及び銅＋α等を配合したビーズを用途により適性％配合した。別に、これの投入量を水路に封入した浄水装置。ビーズ材質はゴム、紙、樹脂の中間に上記剤を埋め込ませ、ビーズ寸法はφ０．８〜φ１０、球形に近いものを空間を保ち、圧力変化効果（プランクトン等の除去）を利用したものを含み長寸法光触媒用ぐるぐる巻きチューブ外周浄水装置。装置の天井には容易開閉用ふたを付け、中のフィルターには木綿フィルターの外周に耐久性延長の消臭エフニカ処理済のカートリッジをかぶせた。更に透明鉢巻式外周チューブ内のビーズは光の双方入れ。（図１）図１中のＡ＝永久磁石  Ｂ＝チタン、トルマリンビーズ  Ｃ＝ホルモン、銀ビーズ  Ｄ＝黒鉛、炭ビーズ  Ｅ＝銅、チタンビーズ  Ｆ＝ゼオライト粒
【請求項２】
太陽光熱利用の浄水製天井のガラス板の上に集熱レンズを設け、紫外線及び光熱を多吸収しながらタンク付きの浄水装置で中に封入する磁石及びビーズを請求項１と同じとしたもので入口、出口の透明管内には、磁石の中間に異種ビーズを入れた。（図２）スポンジ状の波型皿上のビーズの中を（図６）更に水はくぐり抜ける。図２の中に入れて製塩できるマットは着脱可能でフィルター状の中に、取れない小ビーズが満ち入れてあり、塩除去後多回できる構成とした昔の製塩。Ｈ＝シリコンスポンジに酸化チタン他＋αを封入  Ｇ＝チタン、フェライト＋α入りビーズ。
【請求項３】
良水不足の地方への出張者、旅行者、移動者、登山者等が命を救う携帯用造水器で、内容は請求項１のビーズを内蔵し、現地で水を入れ飲用するボトル浄水装置。（図３）ボトルは透明樹脂で裏には金ぴかアルミ箔を接合。
【請求項４】
上下の分配板の中の多数管内１本づつの中に、請求項１と同じ磁石とビーズを入れ、順次１本づつの管内を水がくぐり抜ける浄水装置。
【請求項５】
浄水と発電を同時にし、浄温水装置とタービン、発電を組み合わせたもの。供給する防温タンクと接するクローズドサイクル式流体Ａはガリウム７０％、インジウム２５％、錫５％の液とフッ素、油に銅、黒鉛、炭、銀等の極小ボールを合計５０％の混入品を特徴とする浄水兼発電装置。  浄水管は透明で中には請求項１の磁石ビーズが満タン詰めてある。図５の中のＸ＝ガリウム  Ｙ＝インジウム  Ｚ＝錫  Ｕ＝亜鉛。
【請求項６】
浄水と風雨力発電をスペース的に組合せ省スペースを計ったもの。及び、すでに設置済の電柱、信号灯柱、その他多くのタワー等の上を利用し取付ける事のできる風雨雪力発電装置。  請求項１の磁石、光触媒粉、及びビーズ等を長寸法の中にスパイラーと共に多く入れ、下から中パイプ内を上昇。上で外パイプ内を降下し、水をくぐらせることにより大幅な改質道長１０ｍ以上の確保可能な耐久性向上の水改質装置の更にシャボン玉に似た複数（１〜１０個）羽根車の羽の表面に、ソーラパネル張付け等も含め羽の表面処理は無機質塗料のローラー塗装も実施し、海陸共に付着の付かない理想の薄板３次元絞り式羽を持つ２〜８枚の球形３次元プロペラ羽を固定し、軸と共に回り１〜３ｋｗの発電を兼ね、羽根車１ヶの出力は２５％ｕｐとなる。高発電効率のため軸受の擢動抵抗を減少した。すなわち最下部にはピン磁気ペースト入り、スラスト軸受を！！上部中間軸受には２〜３ヶの磁性シリコン油ペースト付の精密合金銅を設け、回りトルク低下をした。プロペラ羽根は図８の通り３次元曲線で曲げたため、数枚にかかる降下物（雨、雪等）でも回転する。さらに積雪中に於ても回転を助ける羽表面に発水性コーテングをし、回転エネルギーをポンプ、発電機等に直結可能とした。  この風雨雪力発電装置は、下部に浄水装置不要の際は、単独で設置発電が可能。すなわち、既存の電柱（電車脇、道路、鉄塔）、信号灯柱の上に継ぎ足し式で設け、風当たりの強い台風防風海岸付近、及び農業ハウスの上等有効である。また、走行可の船舶等発電の必要箇所に有効となった。
【請求項７】
水力発電用水の改質を請求項１により計り、水力発電羽根車の羽への荷重を３％ｕｐし、水車全体の構造を変え、前と同じ水量で従来の２、３倍の出力を得る水力発電装置。  水管から落下してくる水を２ヶの水車の中心に設け、夫々反対に回る水車の外側に水と同じ方向に回るカバーを置き、中の水圧を水車回転力と共に１〜２回転分保持し、その後排水管に出す。軸の端部は発電機と直結し高出力の電気を得る発電装置。
【請求項８】
薄板（０．１〜３．０）のジュラルミンＳＵＳ及び防錆鉄等を３次に絞ったプロペラを持つシャボン玉近似の羽根車は、軸の高強度により多段数設け、多発電力を生むことの可能な強力発電機（１〜３ＫＷ）及びバッテリー（１２Ｖ、１００Ｖ）を設ける。又、羽根車を回すエネルギー源に、風、引力、雨、雪、台風、地震、津波、波、潮の流れ、磁気等を利用し、回転力を電気に変えるもの。  又、昔の電気自転車とは全く異なる風力電気自転車を発明した。鉄道沿線、高速道路、雪道の照明電源は、個々の発電装置で賄うことができ、電線は発電電力会社に売電力電線とすることができた、シャボン型総合発電装置。  風力、雨力、雪力等の３次元５枚１段プロペラ回転シャボン玉型は、蛍光灯ランプに比し大量の電気を消費する水銀灯を高輝度ＬＥＤの集合体ランプにし、低消費ランプに変更の上であれば、充分使用に耐えるため、図１１に示した通り。  さらに、蛍光灯、一般電球等は水銀灯に対し消費電力がはるかに低い故、自分の電柱分のランプ他充分に本発明の風力発電でまかなえる。
【手続補正２】
【補正対象書類名】明細書
【補正対象項目名】全文
【補正方法】変更
【補正の内容】
【発明の詳細な説明】
【技術分野】
【０００１】  この発明は太陽活用で水の改質と電気に関する。深い地層に閉じこめられ山奥の岩間から湧き出る大自然の浄化作用岩清水よりも優れた水を磁力、無光触媒、光触媒技術を駆使し綜合技術力で楽しく造水改質装置であり、且つ発電にも応用したものである。  食材料を皮付きの生そのままで機械に入れ、体に良い大きさで生ですり潰しのできる機械には、１）材料の送り込み機構  ２）歯噛み  ３）すり潰し  ４）大きさ揃えドロドロで送り出し  機構を持つものが必要。その手段として、１）回転体を持つモーターに低速のスクリュー  ２）歯噛みギヤー  ３）テーパー底のすり潰し  ４）孔付きの出口  等を有する機械にし、年寄りも子供も自由に使える手段を取る。
【背景技術】
【０００２】  従来から、所謂浄水器と称されるものは磁気のみのもの、光触媒のみのもの、活性炭のみ、電気のみ及び紫外線のみ利用のものなど多くあって限られた目的にのみは多方面に使われてきた。【０００３】
【特許文献】なし
【０００４】
【非特許文献】多有
【発明の開示】
【発明が解決しようとする課題】
【０００５】  水のくぐり抜けやすい磁石、そして夫々の特徴を持つビーズの発明により、オールマイティの浄水装置を６種発明した。
【課題を解決するための手段及び発明の効果】
【０００６】  今迄の２〜３種以下の機能を持つ浄水法に比し複雑になったが、耐久性を向上し発電も付加した。そして流体に特徴を持つものとした。  又、発電については、太陽を含め地球のエネルギーの内、風、雨、雪、引力及び波等を総合的に利用する手段を取る。本発明は複数の良要素を綜合的に駆使できる装置にすることで、オールマイティの浄水装置にすることを目的とし、次の手段を取った。
【０００７】  飲料水は、水道水は原水そのものが酸化状態にあり、他の物質を酸化させやすい状態になっている。この水道水を飲み続けることは血液や臓器に負担をかける。塩素、トリハロメタン、Ｏ１５７、サルモネ、黄色ブドウ球菌が除かれ、農薬、６価クロム、ヒ素、鉛、カドミウム・水銀等がなく、酸化還元電位を２００ｍＶ以下にし、負イオンも若干あるものが身体の細胞に生きた水といえるのであるが、以上のものを除ける光及び無光触媒技術でビーズを作り装置内に入れ、水道水流、水圧を変えることなく改質する。
【０００８】  身体内の洗浄及び身体外の清潔、物体の洗浄等には洗剤の量を減らしても水のみで充分きれいになる。水、すなわち高洗浄力の水を作り、すすぎ水の減量化で水を大切に使う手段として、磁気力＋負イオンの使用が必要となるため、活性磁石、イオン交換樹脂に変わるイオンビーズ、更に活性炭ビーズ等を水路に直接触で設け、クラスターの大きさを水道の１／６とした。イオンビーズの負イオン値を２０００以上にした。  地球汚染の進行により、水９０％以上を含む酒類、すなわちビール、ワイン、化粧水、シャンプー、ローション類には水道水、井戸水そのままでは不可のため、改質水は深層水等の使用が必要となるが自社独自のものを持つ必要が生まれてきた。食品業界の味付け方に似ているが、これには超軟水にて対処した。但し、統一的思考は不可である。又、癌を含む医療用水は今後の課題とした。
【０００９】  ミネラル、カルシウム、リン、鉄、マグネシウム、ナトリウム、マンガン等のうち、身体の健康に優れた機能を発揮するものを残し、原水の価値を何上し得るものを残す必要から、水路の中のビーズ間空間で分離可能装置とした。本発明は粒径差をくぐり抜ける水の抵抗技術を採用し、ビーズ材質も発明した。これは体の血液、細胞に浸透して体に活力を与え病気になりにくく、強い体質を得る役割を果たす。
【００１０】  調理水、風呂水等の排水は工業用を含めぬめりが多く配水管詰まりを防ぐことが重要で、排水処理場の処理コストを下げ得る水にする必要から本発明の浄水装置内に入れるビーズには、防カビ、抗菌にイオン銀等を配合したもので対処した。又、レジオネラ、大腸菌、Ｏ１５７、サルモネラにも対処可とした。  又、洗剤で泡の立たない硬水は硬度が高く、軟水はｐＨ（水素イオン濃度）が６．８〜７．４である。この水にするためビーズを入れた。又、酸化還元電位を２００以下になるよう酸化チタン、イオン鉱石粉をビーズに入れた。紫外線波長の平均は３８０ｎｍ。
【００１１】  工業用水は、冷却、加熱及び洗浄等に幅広く使う水には抗菌、消臭、防錆、防汚、防藻性が必要とされる。特にクーリングタワー等、外部から諸物の進入のあるものには、レジオネラ菌等の殺菌性もいる。ボイラーには、高熱伝導性水が良く、コンクリート用水はクラスターの極限に小さいものを必要とするから、夫々工業製品の精度向上、加工コスト向上のためのビーズを発明した。  乗物の車、航空機等大量洗浄水には、高洗浄力（上記）のシャワー、風呂用と同一とし、タイプは特に図２が省エネとなる。
【００１２】  農業用には農薬、ダイオキシン、環境ホルモンを分解し得る他、陽光水として酸化チタンを紫外線で、その他を炭、黒鉛＋αのビーズで夫々対処できた。  生育光線波長域の電磁波は生体に様々な好影響をもたらしたり、水の切断、種子中の低分子物質の重断切断、不飽和樹脂酸の２重結合防止になるので有効。また、植物の根活力増強はビーズ内に入れた天然ホルモンが大きく寄与するので生育増大（約１５％）及び産物の日持ち増になった。  農業用でもキノコ栽培用には高浸透性、水耕用には陽光型酸化チタン光触媒型ビーズ及びシート＋αとした。
【００１３】  海洋、水産業分野では、生け洲内の増殖用水、冷凍魚解凍用水、生魚運搬用水、魚貝廃物の腐らない保存、氷の保持化、網の洗浄用水及び浄水化装置が重要課題で、夫々のビーズを発明した。  また、鮮度（果物等）保持にはエチレンガスを分解し得るビーズを入れ、腐らない水にすることが重要で、魚を含め冷凍による味の低下防止を計った。防カビ剤、銀、負イオン及び黒鉛、炭等配合をした。
【００１４】  ビルその他、地下タンク、プール等の貯水が悪い水にならぬようタンクへの水の供給口等に本発明の浄水装置を設け、尚に良い水を保管するためには図１は図２タイプで安心できるうえに省エネを計ることができる。
【００１５】  人間は体の６０％が水である。故に常に各自の好みの水を家宝として用意し、お茶、コーヒー、料理、水割り水等を楽しく味わう事が若返りの秘訣であり、元気で過ごすことに対処するための浄水装置図４を適用した。
【００１６】  浄水温と発電を兼ねるのは、陽光エネルギーで可能のため、すでに発明されているパラボラ型の集熱機の外周に浄水管（３６）を設け、流体Ａ管内には、熱伝導率の高いフッソ油の中に黒鉛及び銅の小球を入れ、ガリウム７０％、インジウム２５％、錫５％入れたものを流体として使用した。熱伝導効率が高いため、昇温性に有利となった。
【００１７】  今迄、海洋深層水のミネラル分は淡水化の際にミネラル分が除去される故、ミネラル水として販売するとき、ミネラルを別入れしていたが、特殊な不燃布フィルターの中にイオン、チタンその他αを入れたのでミネラル入りの水と塩が収穫できた。この塩は特にキムチ等、漬物には栄養入りとして重要なものとなった。
【００１８】  水道飲料水の悪い地方の人々は、ボトルに水を購入して使っている。生活費の向上のため浄水装置を多く提供する必要がある。そして、人々が楽しく生きていくことが重要。
【００１９】  発電は、原発の代替えを早く発明し、提供する必要となった。発電には多くの方法があるが、各々の国の人が各々の国のエネルギーをフルに活用して生まれる電気を考えねばならない。日本は日本の風土にあるものを、自分で使う分を自分で造る方向に進めたい故、自家発電装置を安く提供したい。但し、水銀灯のように多電力を喰うランプは、早く低消費のＬＥＤ式に変更が必要。
【発明を実施するための最良の形態】
【００２０】  太陽光は、酸化チタン他光触媒ビーズのそれぞれに作用し、水の改質。太陽熱は、集中レンズ他伝熱作用による畜熱、温水利用と発電。太陽光中の紫外線は、上記に含め、磁気は水中のクラスター分球の作用、他。無光触媒ビーズは、イオン化反応。風、雨、雪、波力エネルギーを回転に変え発電。
【実施例】
【００２１】  図１は、還元水兼多用途に使用の水改質装置で、水道、井戸水等に幅広く適用する。  矢印の水入口より進入する硬水等は、内蔵された永久磁石（Ａ）を通り、ＳＴＯＰＶＡＬＶＥ（１）をくぐり、中心部より上昇しフィルター室パイプ（４）の下部に設けた炭を通り、プラスチック、木綿、不燃布フィルター（３）の外周から中心部を上昇し、上部から無光触媒室パイプ（９）に入ると、触媒粒（Ｃ）を通り降下、次に下部より更にビーズ室パイプ（９）に移動し、上部より接手エルボから光触媒と無光触媒の混合ビーズ（Ｅ）を入れた透明ホース（６）の中を移動し、更にエルボ（７）から、磁石（Ａ）と光触媒ビーズ（Ｆ）と水流スパイラー（１５）を入れた透明パイプ（８）を降下し、出口磁石（Ａ）内を移動のうえ、出口へ移動する。  容易交換可能なＦＩＬＴＥＲ  ＣＡＰ（１４）を回すと、フランジ（１３）の中に入れたＦＩＬＴＥＲが簡単に上抜き、交換できる。又、ＦＩＬＴＥＲ詰まりを検査できる圧力ＧＡＵＧＥ（１０）は、確認でき、光触媒通路を閉めるＶＡＬＶＥ（１２）とバイパスＶＡＬＶＥ（１１）で操作する留めナット（２）。【００２２】  図２は、太陽光１００％利用の加熱可能な水改質装置で良水と温水を得る。ビル、家、平野の陽水の得やすい場所に設け、省エネタイプとした。  又、本発明器は農業用の配送水として水産用として生け洲に、更に魚介の鮮度保持用として漁協組合等に適した型である。  矢印の通り、下から進入の水は磁石（Ａ）を複数個入れたＰＩＰＥを経てガラスケース（１６）内に多くの孔から進入上昇する間に光触媒波型皿（Ｈ）及び混入させた光触媒ビーズ（Ｇ）をくぐり抜け改質した水を更に上部の磁石（Ａ）入りパイプを移動のうえ、下のタンク（１８）に入る。  タンク内にはフロートセンサー（１９）があり、中の温水が減少すると水道バルブが開となりタンク内の水補充するが、この開閉バルブには照度センサーが設けてある故、夜は働かない。曇りは働く。タンクは１週間分の水量を保有し、タンクは断熱剤で囲まれ夜の降湯を防ぐ。更に、得たい温水温は外皮レンズ（１７）の交換により温度調整できるが、２００℃を限度とする。レンズを載せないガラスケース（１６）では、１００℃を限度とする。  本発明器は、磁石を含め６種の装備により改質するので、照度センサーを除去し、夜でも改質するが兼ねているソーラーの役目は果たさない。【００２３】  図３は、旅先、戦場等で欠かせない飲める安全水を自身で作り、命をつなぐ水改質携帯陽光装置。  透明ＰＬＡＳＴＩＣ  ＢＯＴＴＬＥ（２３）の裏には、光反射用のピカピカ金属箔（２０）を設け、中に入れた光触媒ビーズ（Ｂ、Ｃ、Ｄ、Ｆ、Ｇ）の反応で川の水等も飲める水に改質する。  下部栓（２２）を開け、逆から水を入れ栓を閉めて逆にし、陽光に向けて図３の向きで置き１時間、陽光のない時は３時間放置後、ＣＡＰ（２４）を開けて使用する。下栓の中には、ＦＩＬＴＥＲ紙（２１）があり、１回毎新品と交換する。この水は調理等にも使用できる。曇りの日でも夜でも時間をかければ中の無光触媒の働きにより改質されるので、少量の場合、家の内照明でも改質造水可能。【００２４】  図４は、工場の脱脂水洗浄、すすぎ、シャワー、洗面及び身体内洗浄用��料水として、専用のもの及びビーズを交換して美容用等にも使える改質装置で、下の入口からの進入水は、パイプ（２７）の中を分配板（２６）（２５）が順次上下できる構造で、夫々のパイプ内に磁石（Ａ）及びビーズＢ、Ｃ、Ｄ、Ｅが入れてあり、目的別にその順序等を変更した。パイプ径も小さく小型コンパクトであり、機械の側、蛇口の側に設ける。【００２５】  図５は、陽光による改質温水造水兼蒸気温度差発電装置である。水入口から進入の原水は、円形透明プラスチックはガラスパイプ（３６）を回り、出口チューブ（３７）内に移動するが、その間に管内の磁石（Ａ）及びＥ（光触媒ビーズ）をくぐり抜け、断熱剤付きタンク（３２）に入る。陽光▲Ｓ▼の照射を受けた球状パラボラ式反射鏡板（３０）で太陽熱を集熱タワー（２８）に集め、その集熱タワーを支える３脚管（２９）の中を、注液ポンプ（３３）から送られてきた流体Ａを温水タンク内の蒸発器に移し、双方をタービン（３４）に送り、回して発電（３５）する。流体はクローズドサイクルにしたので、約２５０℃の昇温が可能。水タンクの大きさを大きくし、外壁は断熱剤を使い放熱を防ぐと１日の日射（約４時間）で１週間分の温水と家庭内電気程度は常に供給できる。特に、電気のない地方には有効である。太陽のエネルギーを使い良い水と電気を得る。【００２６】  図６は、図２の陽水装置上の集熱外皮レンズ（１７）、及びガラスケース（１６）の下に入れる製塩マットである。ミネラル分を非常に多く含む海洋深層水及び一般海水から良質の塩を収穫し、且つミネラル水を造水する。すなわち、本発明のマットにより得た塩と水は、健康に必要な食品となった。熱伝達材のＸ＝ガリウム、Ｙ＝インジウム、Ｚ＝錫、Ｕ＝亜鉛を示す。  陽光集熱でマットに多熱して得た塩は、マットを除去し容器に採集する。本マットに入れた光、無光触媒剤（Ｅ）は、除去されないため再使用する。【００２７】  図７は、風雨雪力発電と水改質装置。屋上、ベランダ、その他に設け自家発電した。水は、水入口から取入れ、中心パイプ（２７）の中の磁石（Ａ）及びビーズ（Ｂ、Ｃ）をくぐり抜け上昇し、無光触媒ビーズで第１次改質を完了後スパイラー（１５）入りの外パイプ（８）内の光触媒ビーズ（Ｆ）をくぐり抜け、更に大きく改質され、温められ出口から出ていく。この装置は、風力球の高所空間を利用したので水のくぐり抜け長さが非常に多く【００２８】  図８は、半球型の３次元曲げＳＵＳ板１．５ミリ型しぼり方式で加工し、上下端をプロペラ留めリング（３９）で固定した。上部取付けと下部は垂直でないため、吹雪等はよく発電した。留めリングは溝羽１０枚まで可能である。又、羽材を超ジュラルミンにし、羽表面の雪、塩害防止表面処理は、上記と同じとしたが、羽表面のソーラーパネル化も良い。すなわち、光発電兼風力発電とした。【００２９】  図９は、風雨力発電装置（シャボン玉タイプ近似）。電車の走行風発生受けやすい電柱の上部に取付けたもの。上空空間が多い故、１０段とした。発電機は上部にし、電池は便利な場所に取付けた。他にも利用法として、海上の信号灯台に、更に防波堤の途中にセットしたり、農地や山の上の電力供給にも好都合となった。カラスの防御には無関係か？  電気のない地区のテレビ電源を、また原発ある国の代替発電をしたい。【００３０】  図１０は、従来の水力発電を見直し、出力ｕｐをするため、水路管を水車２ヶの中心に設け、同時に２ヶの水車の反対側に受けた水は螺施カバー（４１）の中を１〜２回転後、排水管から出る。そのカバー内にある間、水車出力を増し、約従来水車の１．８倍を確保。合計約２．５倍以上の出力を出す水力発電装置。カバーは複雑形状になる水車羽の約５０％に当初受けた水は残５０％共について回り、余りを１回転後排出する。従って水車羽の構造も少し変わり、フライホイルリングは正面奥に配備しギヤー式とした。浄水器の役割は水温を上昇しないで、水中の諸物質を除去しないものとした。【００３１】  図１１は、シャボン玉式、風雨雪力発電を２段、蛍光灯、一般電球の他、水銀灯を高輝度ＬＥＤ球に変更した。街路電柱に金属バンド２ヶで固定、中に入れた発電機兼バッテリーにてランプに供電する例を示す。プロペラ外径は１３０φ、そして従来１００Ｖ２００Ｗだった水銀灯を同一スペースにＬＥＤ４５ヶを設けたもので、照度同一でその消費電力は１００Ｖ４５Ｗで約８０％の省エネとなった。【００３２】  図１２は、漁業網用ブイを浮力の高い発泡スチロールの５角形にし、外周に貝付着防止ピカピカ無機塗料をローラー塗りし、回転力を天井の風力、波力エネルギーを回転軸に伝達と共同で発電した。内部に超小型発電機を内蔵したので発電機はロープにつけた電線で地上の電気として使用。球型３次元プロペラは、海水に強い超ジュラルミンの上に更に上記ブイと同じ無機ペイントでピカピカにした。又、軸受けには磁気ベアリングを使用したので塩水でも耐久性を向上。【００３３】  図１３は、風雨力を船上で、波力潮力を水表面でそれぞれエネルギーとして取り、双方合体による回転力で、停止中の船でも発電、蓄電可能となった。両側に設けた５角形のフロートブイ回転子は、２ヶが波の小さいバチャバチャでも３０ＲＰＭ以上の回転が可能となり、停止することがない。１２Ｖのバッテリーで常に６０Ｗ以上ができた。船のスクリュー回転のためには、更なる努力を必要。【００３４】  図１４は、津波の場合の浸水防炎兼風雨力発電を示すもの。海岸に寄せる津波を受け止める石炭発電灰入りポリプロ、アセタールの発泡強力板を平素プロペラ軸に保存し、津波前に軸筒に落とし込み６００ｍ以上の防炎に使用。１〜２ｍ間隔で風力軸筒が建つので利用。電力は、１軸３役で１〜２ＫＷバッテリーにて常に充分。【００３５】  図１５は、洋上発電方式を示すもので、網ロープブイを兼ね電気を作る。波は下部フロートの、上ブイ型プロペラに当たり、回転、上部風力軸と連結され、加速され、発電機に直結する。従って、風、雨、雪、波、潮  等５個のエネルギーを同時に利用する他、引力エネルギーも借り、総計６個で大量発電する。更に海洋器具には、発泡スチロールも含め無機塗料をロール塗装し、貝、海草付着防止を実現できた。【００３６】  図１６は、電気自転車の動力源に風雨力を回転源にし、発電、バッテリーに保電し、いつでもアクセルで３０ｋｍ／時出せるものとした。ハンドルの前に約１２０φのプロペラ５枚型を設け、座席後部には４段の５枚型を付け、尚軽量のジュラルミンｔ０．５等、バッテ���ーも小型で軽く後輪車輪に伝達ローターも弱力で回転する。ローターの電気は、サドル下の電気箱から通電。身障者用車イスにも利用可能。
【産業上の利用可能性】
【００３７】  健康、美容、工業、農業、水産、海洋及び建築産業等、幅広い産業に関する他、電力産業に関する。
【図面の簡単な説明】
【００３８】
【図１】は、本発明の還元水改質装置の正面図。
【図２】は、本発明の陽光による改質水温装置兼塩作装置の側面図。
【図３】は、本発明の命を救う携帯浄水器の斜視図。
【図４】は、洗浄、医療及び美容等に関する専用浄水器の原理図（平面）。
【図５】は、本発明の陽光利用発電装置付浄温水装置。
【図６】は、本発明のミネラル残し造水装置兼製塩装置。
【図７】は、本発明の水浄造温水装置兼球型羽根型の風力等発電装置の構造断面図。
【図８】は、シャボン玉羽根車の中の３次元羽１枚の正面図。
【図９】は、本発明の風雨雪力による発電装置を新設ではない既存の鉄柱等に載せ固定した正面構成図。
【図１０】は、本発明の水により水力発電装置を改良し、出力２倍以上の装置の構想断面図。
【図１１】は、シャボン玉型羽根車を２段設けた軸を水銀灯を高輝度ＬＥＤランプに変更した街燈に接続固定したランプ部の側面図。
【図１２】は、発泡スチロール５角形ブイに球型３次元プロペラ１段設けロープ固定の水中ブイ正面図。
【図１３】は、船の後部に風力兼波力発電を設置し、停船中でも発電を可能とした側面図。
【図１４】は、津波防災に風力発電筒を利用した正面図。
【図１５】は、洋上ブイに発電装置を設け、直角の２軸回転力で発電できる風、雨、雪、波、潮、磁力発電の正面図。
【図１６】は、風、雨、雪力発電プロペラを自転車に接合した電気自転車の構想図。
【符号の説明】
【００３９】  Ａ  永久磁石                Ｂ，Ｃ，Ｄ，Ｅ，Ｆ，Ｇ，Ｈ  目的別ビーズ皿  Ｕ  亜鉛                    Ｘ  ガリウム  Ｙ  インジウム              Ｚ  錫  １  ストップバルブ          ２  留めナット  ３  不燃布フィルター        ４  パイプ  ５  パイプ                  ６  ホース  ７  エルボ                  ８  パイプ  ９  パイプ                １０  圧力ゲージ１１  バイパスバルブ        １２  バルブ１３  フランジ              １４  フィルターキャップ１５  水流スパイラー        １６  ガラスケース１７  外皮レンズ            １８  容器（タンク）１９  レベルフロート        ２０  ピカピカ箔２１  フィルター            ２２  下部栓２３  プラスチックボトル    ２４  キャップ２５、２６  分配板          ２７  パイプ２８  集熱タワー            ２９  ３脚管３０  反射鏡板              ３１  受板３２  タンク                ３３  注液ポンプ３４  タービン              ３５  発電器３６  ガラスパイプ          ３７  出チューブ３８  バッテリー            ３９  プロペラ留めリング４０  電柱、鉄柱等          ４１  螺旋カバー
【手続補正書】
【提出日】平成17年2月4日(2005.2.4)
【手続補正１】
【補正対象書類名】特許請求の範囲
【補正対象項目名】全文
【補正方法】変更
【補正の内容】
【特許請求の範囲】
【請求項１】
木、樹脂、布、発泡スチロール表面硬強度塗製品、竹加工品、風船のようなゴム、発泡プラスチック、及び金属等の空気で浮上し易い形態にしたもので造った胴部凹み型水流増速パイプ、チェーンワイヤー、電線ケーブル、手摺、渡し板等をつけ、発電器を搭載した舟ブイを水上に浮かべ水位の変動に対応できる長さを持つ上記チェーンワイヤーケーブルを水中のテトラポットのような形の魚礁、錨、及び橋ゲタ等に固定し、魚介の製造及びその近辺が漁場となり、魚作、作業場その他にも有効用途をもつ水上に浮かぶ舟ブイ式、水、波、風、光力等のクリーンエネルギー利用の発電装置。まず風力利用の風力発電は、中に垂直軸型３段３次元羽３〜６枚スパイラル状羽根車、軽く回る特殊軸、上部に遠心クラッチ、下部に発電器を設け、外周には安全、風速上昇兼用の全方位風吸収ドームをかぶせた物を舟ブイの前後に２台乗せ、倒れ防止のワイヤー及び空中電線の結びとする。次に水、波力利用の水力発電は、中に水平軸２次元羽を多数入れた水用羽根車水車を舟ブイ胴体凹み部の両側に２台乗せ、軸中央部に増回転用ギヤー等で発電器１台に連結の上、水車カバーで水流ロスを防止し、水車の前ブイに各１ヶの水流増速パイプをブイに固定し、水車の回転増速をはかる。さらにブイ胴体部底中央部には口元開きラッパ管の中にスパイラルスクリュー管を設け、この軸回転も発電器にベルト等で連結する。そして合計３個の発電器で発電した三相交流電力は、合体した電線で水中ケーブル線又は空中線に結合、発電所に送電するが、舟ブイは３〜５個を渡し板で三角形に固定して１セットにすることで大量発電となる。さらに風、水力発電量不足の場合に限り、風力ドームの外周部及び水力発電水車カバーの上面に陽光ソーラーパネルを接合し、補助発電として同一ケーブルに結び、水上における総合大量発電の可能な特徴をもつクリーンエネルギーのみ利用の発電装置。さらに、発電所工場用の舟ブイは、上記説明の舟ブイから風力発電のみ除去したものとし、水力発電はできる構成にし、水上工場に必要な道具類を搭載できる形態にし、地上と同様、総合発電所、漁業工場、ヘリポート基地等、大容量総合集中発電所として水上利用を計る物で風力発電ドームは、船舶の停船時含め、電気船の電力の少しの補助とする他、住宅、工場の屋上、電柱の上部に据え付けた垂直軸型の先出願と同一発電形式としたのは、水上も陸上も上記の通り、多くの活用を可能な特徴を持つ発電装置。
【手続補正２】
【補正対象書類名】明細書
【補正対象項目名】全文
【補正方法】変更
【補正の内容】
【発明の詳細な説明】
【技術分野】
【０００１】  本発明は、海、川及び水路等の空中水上等の発電装置に関わる。
【背景技術】
【０００２】  地球上のクリーン自然エネルギー即ち、風、雨、流水、波及び太陽光等全部を水上に浮かべた舟のようなブイ及びはしけ板引作業工場の中に複合利用し、大数量により大電力を得るもの。垂直軸型羽根車をもつ風雨力発電と水平軸型液体用羽根車をもつ水、波力発電及び太陽光ソーラーパネルを持つ光力発電装置を海、川、水路等の水上舟ブイその他に搭載し、発生電気を水中ケーブルで陸地の発電所に送るか又は、同じく水上の変電所に送る構成とした。又、建物の屋上に設ける自家発電の場合は、屋内にインバーター、バッテリー等を同時に設ける。（出願済み特許  ＰＣＴ／ＪＰ２００４／０１６８１２）
【発明の開示】
【発明が解決しようとする課題】
【０００３】  風、雨、波、水流及び陽光力利用の複合体型舟ブイ式水上発電は他に無い。
【課題を解決するための手段】
【０００４】  発電に必要な道具を搭載する舟ブイは、胴体凹み形で、水車に当たる水流が増速になるよう強い凸みパイプを接合し、風車ドームは羽根車に当たる風速が増す開口部寸法保持が必要で、ソーラーパネルは水上の上層部につける。風雨力羽根車、水力羽根車及びソーラーパネルの各々の大きさは、得たいエネルギーの大きさにより複合全体の大きさに関係する。従って１ヶの舟ブイの上に風力ドームを２ヶ、水羽根車２ヶ及びソーラーパネルを２ヶ設け、この１ヶの舟ブイを渡し板で三角形に３〜７ヶを連結し、１セットとして、１本のチェーン及び集合電線ケーブルで電気を運ぶ手段をとる。又、水上変電所等の場合は、空中送電がよい。【０００５】  垂直軸風雨力発電ドーム内には３段の２〜３次元羽根車数枚の下部に発電器を軸直結するが水車は、２ヶに対し発電器１個で賄う。又、ソーラー電源は、上記ケーブルに直結する。
【発明の効果】
【０００６】  各々の羽根車の大きさ及び、ソーラーの広さにより発電出力は異なるが、次の寸法の合計発電出力は、舟ブイ３ヶ直結分は風力羽根車直径約φ８００。水車直径φ１，５００。ソーラーパネル２００角３０枚。舟ブイの全長５，０００、巾１，０００に於いて約５ＫＷｈ、三角３ヶ１セットとすると、約４０，０００セットで原発１基分の発電量に匹敵する。舟ブイ方式水上発電は、陸地の土地代金よりも安く、高効率のため経済的効果が多くあるが発電の他に具体的に次に示す活用も可能。
１．発電装置全体の据付、補修、メンテナンス点検作業等に適す。
２．水中の魚礁で生産された魚介類の収穫及び定置網固定ロープとめ、のり、わかめ養殖柱、網及び生簀の固定場。
３．川、海等の景観向上と橋の代理歩行プラットフォーム及び鳥の休憩場。
４．漁船の基地、ヘリポート基地、魚礁基地、及び魚釣人基地釣堀契船等、そして魚貝は、とるばかりの時代から今後、魚貝を造ることを進めるきっかけとして期待できる。魚礁は水面、水底面を約５メートルあけることが必要で、その上にブイのせにより、ブイの流れ水防止用の固定錨の代わりとしての魚礁は経済的に大効果を生む。
５．防波堤としての僅かな効果と防風、防音も期待できる。以上の通り、風雨力利用３段付羽根車付発電と川、海等の流れ力利用羽根車、及び太陽光利用のソーラーパネルを水車カバーの上端に接合し、引力以外の地球エネルギーを１つの装置に合体した水上における高効率発電装置。
６．舟ブイ材料を発泡スチロール、ゴム風船の如く空気利用の材料、形状にできるので低価格ブイとなる。
７．舟ブイ先端の突起は、流木を含め舟ブイ破損防止になる他、水中の小品混入は、発電出力向上になる。
８．舟ブイの中央に設けたスパイラルスクリュー軸入りパイプ口元ラッパで水流量増大し、回転数向上となる。又、水車前方の加速上昇パイプでは、水車の回転数向上ができる。
９．船舶の燃料油を減少させる電気船の補助として風、水力利用。そして水上変電所を舟ブイの上流に設ける場合、陸上からの往来可能な橋を架けると便利となる。
【発明を実施するための最良の形態】
【０００７】  水平軸水力発電カバー内には、２〜３次元羽根車２ヶの中央の軸部に発電器を１ヶ直結するが、風力側の発電器の回転数と同速がよい故、ギヤー、ベルト等で増速する。【０００８】  陽光ソーラーパネルは、風力安全ドームの上部又は水車カバーの上部に接合し、発電力を水中ケーブル線に結ぶがソーラーによる発電量は小容量のため助水力で不足の場合にのみ補助用とする。【０００９】  以下、本発明を実施例に基づいて説明する【００１０】  図１及び図２は、垂直軸風力発電装置（Ａ）を舟ブイの前後に２ヶ、水平軸水車（Ｂ）を胴体に２ヶ、ソーラーパネル（Ｃ）を多数張り付けた舟ブイ（Ｄ）３ヶを三角形に渡し板（１）で固定し、風水光力発電３ヶ１セット全体を示すもの。水上の水流は、矢印の通り舟ブイの回りを流れるため２〜３次元（２）多数羽付水車羽根車６ヶは中心の軸（３）に固定され、ベルト、ギヤー（４）で発電器（Ｅ）で電気を生み、電線（１８）で水底又は空中を経て陸地に運ばれるが、風力、ソーラーの電気と共に１セットに三相交流の１本の線に進める。【００１１】  ６ヶの風力発電ドーム（９）は、開口部に８方向から入る風を２次元上部羽（５）４枚及び下部３次元スパイラル形状羽（６）を垂直軸（７）と自動クラッチ（８）を介し直結し、かつ発電器（Ｅ）にも結ぶ。又、水車カバー上、風車カバー上に取付のソーラーパネル（Ｃ）は、上記同様に発生電気はまとめて送電し変電所で制御しインバーターで電圧調整の上、各所に配布される。そしてこの舟ブイは多目的に使用されるため、防護手摺り（１２）を設けた。【００１２】  又、風力、水力発電器（Ｅ）は、１セットに９ヶ使用するが電気は３本線にまとめ風、水力共に軸受けは軽く回り、少しの風（２ｍ／秒）でも回転可とした。【００１３】  図３は、舟ブイ本体の上部に２ヶの風力ドーム、両側の２次元羽水車２ヶ、前方に水流加速パイプ（１６）及び胴体底部部分口元開きパイプ（１９）内にスパイラルスクリュー軸付きを入れ増水量を回転力増大用とし、後部のギヤー（２０）を介し、舟ブイ中央上部の発電器（Ｅ）に連結したもの、テーパーラッパパイプの口元から入る水量が約３０％増大するため出力向上となる。又、水流加速パイプは渦流効果で約５０％の出力増をみる。【００１４】  図４は、川、用水路等の水上上流にゴム風船、樹脂、ゴム、発泡スチロール、浮輪等の上に板を張り、水上変電所を設ける。下流に浮かべた大量の本発明舟ブイをチェーン等で連結し、横、縦に巾広く、流れに長く入れ、大量電力を空中線で変電所に運び、変電所から消費者に配電し、変電所が舟ブイ破損防止策もとれる。陸地との往来可能なハシケ船、渡し板、橋等も便利、水中の砂、泥等は電力増大役を果たしてくれる。
【産業上利用可能性】
【００１５】  発電事業全般に利用可能性が高く。現有のダムによる水力発電。石炭油による火力発電。水平軸プロペラ風力発電。原子力発電。ソーラーによる太陽光発電等、多くの非安全発電に比し、手軽に自然エネルギー取り入れ利用で無公害発電のため、下記利用もできる。
１．本発明の風力発電装置は、家庭の消費電力を賄える発電として、住宅、工場の屋上に設置。小型は柱上用にし、信号、街路電源。
２．電気の無い地方。農業ハウスの暖房用電源として農地の柱上に利用可能。
【図面の簡単な説明】
【００１６】
【図１】本発明の水上複合発電装置の舟ブイ３ヶを１セットとした場合の平面図。
【図２】上記内容の舟ブイ１ヶの側面図。
【図３】舟ブイの側面図。
【図４】変電所及び舟ブイを水上に設けた配置平面図。
【符号の説明】
【００１７】  Ａ．風雨力発電ドーム                Ｂ．水波力発電水車
Ｃ．ソーラーパネル                  Ｄ．舟ブイ本体
Ｅ．発電器                          Ｆ．浮変電所
１．渡し板                          ２．水羽
３．水車軸                          ４．ベルト、ギヤー
５．上部風羽                        ６．下部風羽
７．風車軸                          ８．遠心クッラッチ
９．渦ドーム                      １０．チェーン
１１．止めボルト                    １２．防護手摺
１３．ジェネレーターカバー          １４．保護板
１５．ワイヤー                      １６．加速水流パイプ
１７．ドームカバー                  １８．送電線
１９．増流パイプ（スパイラル入り）  ２０．ギヤー
【手続補正３】
【補正対象書類名】図面
【補正対象項目名】全図
【補正方法】変更
【補正の内容】
【図１】
2007054676.tif 000019
【図２】
2007054676.tif 000020
【図３】
2007054676.tif 000021
【図４】
2007054676.tif 000022